(57)【要約】      （修正有）【課題】異物が入り込みにくく、且つ使用に便利なソフトソールスリッパを提供する。【解決手段】アッパー層と靴底層を備え、靴底に、上方に向かって本底、中底、中敷が設けられ、中底布がアッパー裏地の口部辺縁に縫い付けられることで立体空間が形成される。構造が単純であり、中底布がアッパー裏地の口部辺縁に縫い付けられることで立体空間が形成されるため、各種の材料や形状の中底芯に適している。中底の側面とアッパー内面の側方とに隙間が存在せず、閉じられた中底平面が形成されることから、クリーニングが容易であり、異物が入り込みにくい。履き口がしっかりと型付けられて張りがあり快適なことから、より履き心地がよく包容感がある。更には、生産効率や元来の技術が低下することもない。機械化生産、標準化生産の優位性が十分に発揮される。【選択図】図２
2018094370.tif 000002
【特許請求の範囲】
【請求項１】
アッパー層と靴底層を備え、前記靴底に、上方に向かって本底、中底、中敷が順に設けられるソフトソールスリッパにおいて、前記中底布がアッパー裏地の口部辺縁に縫い付けられることで、立体空間が形成されることを特徴とするソフトソールスリッパ。
【請求項２】
前記靴底層の下部に滑り防止層が設けられることを特徴とする請求項１記載のソフトソールスリッパ。
【請求項３】
前記滑り防止層は、コルクゴム層であることを特徴とする請求項２記載のソフトソールスリッパ。
【請求項４】
前記靴底層の上面には、複数の突出した隆起が分布していることを特徴とする請求項１記載のソフトソールスリッパ。
【請求項５】
前記滑り防止層の底部には、テープ状のフランネルが設けられていることを特徴とする請求項２記載のソフトソールスリッパ。
【請求項６】
靴底層の上面には、取り外し可能なパッドが接着されていることを特徴とする請求項１記載のソフトソールスリッパ。
【請求項７】
前記滑り防止層は、波型の滑り止めパターンであることを特徴とする請求項２記載のソフトソールスリッパ。
【請求項８】
前記滑り止めパターンは、深さ０．７〜０．９ｍｍであることを特徴とする請求項７記載のソフトソールスリッパ。
【請求項９】
アッパー表面とアッパー内面の履き口とを縫合するステップ１と、
アッパー表面とアッパー内面の踵を縫合するステップ２と、
中底布をアッパー裏地の口部辺縁に縫い付けることで立体空間を形成するステップ３と、
アッパー表面を表に返すステップ４と、
本底を縫合し、アッパー表面の正面を本底の正面に縫い合わせ、アッパー表面全体を内側に向けるステップ５と、
クッション芯を装填し、前部開口を縫合するステップ６と、
スリッパを表に返すステップ７と、を含むことを特徴とするソフトソールスリッパの製造方法。
【請求項１０】
前記ステップ３は具体的に、中底の側面とアッパー内面の側方とを縫製することで閉じられた中底平面を形成することを含む、ことを特徴とする請求項９記載のソフトソールスリッパの製造方法。
【発明の詳細な説明】
【技術分野】
【０００１】
本発明は、ソフトソールスリッパ及びその製造方法に関する。
【背景技術】
【０００２】
現在の立体ソフトソールスリッパでは、中底布と本底布が一体的に縫製されている。そして、図１に示す従来技術のように、平面空間を形成したところに本底芯を押し込むと、アッパー内部と中底側面との間に隙間が形成されやすいため、中底のクリーニングが難しく、隙間に異物が残りやすい。よって、人為的なクリーニングが必須となるほか、手作業でなければ中底とアッパーとの縫合を完遂できず、時間と労力がかかる。そのため、使用において極めて不便であった。
【発明の概要】
【発明が解決しようとする課題】
【０００３】
本発明は、上記の瑕疵を解消し、異物が入り込みにくく、且つ使用に便利なソフトソールスリッパを提供することを目的とする。
【課題を解決するための手段】
【０００４】
上記の目的を実現するために、本発明では以下の技術方案を用いる。即ち、アッパー層と靴底層を備え、前記靴底に、上方に向かって本底、中底、中敷が順に設けられるソフトソールスリッパにおいて、前記中底布がアッパー裏地の口部辺縁に縫い付けられることで、立体空間が形成されることを特徴とする。
【０００５】
更に、本発明の他の目的は、アッパー表面とアッパー内面の履き口とを縫合するステップ１と、アッパー表面とアッパー内面の踵を縫合するステップ２と、中底布をアッパー裏地の口部辺縁に縫い付けることで立体空間を形成するステップ３と、アッパー表面を表に返すステップ４と、本底を縫合し、アッパー表面の正面を本底の正面に縫い合わせ、アッパー表面全体を内側に向けるステップ５と、クッション芯を装填し、前部開口を縫合するステップ６と、スリッパを表に返すステップ７と、を含むことを特徴とするソフトソールスリッパの製造方法を提供することである。
【発明の効果】
【０００６】
本発明には、突出した実質的特徴と顕著な進歩がある。
【０００７】
即ち、構造が単純であり、中底布がアッパー裏地の口部辺縁に縫い付けられることで立体空間が形成されるため、各種の材料や形状の中底芯に適している。このように、中底の側面とアッパー内面の側方とに隙間が存在せず、閉じられた中底平面が形成されることから、クリーニングが容易であり、異物が入り込みにくい。また、履き口がしっかりと型付けられて張りがあり、快適なことから、より履き心地がよく、包容感がある。更には、生産効率や元来の技術が低下することもない。従って、立体縫製効果を得るために用いていた従来の手縫いでは低効率で高コスト、基準の統一が困難であったとの課題が解決され、機械化生産、標準化生産の優位性が十分に発揮される。
【０００８】
なお、以下で説明する図面は本願を更に理解するために供され、本願の一部を構成する。本願の例示的実施例及びその説明は本願を説明するためのものであり、本願を不当に限定するものではない。
【図面の簡単な説明】
【０００９】
【図１】図１は、従来技術のソフトソールスリッパの構造を示す図である。
【図２】図２は、本発明のソフトソールスリッパの構造を示す図である。
【図３】図３は、本発明のソフトソールスリッパの製造方法のフローチャートである。
【発明を実施するための形態】
【００１０】
明細書及び請求項では、いくつかの用語で特定の構成要素を示している。しかし、当業者は、メーカーによっては同一の構成要素を異なる名称で呼称していることを理解可能なはずである。本明細書及び請求項では、構成要素を名称の違いによって区別するのではなく、構成要素の機能上の違いによって区別することを原則としている。例えば、明細書及び請求項を通じて使用されている「含む」とは非排他的な用語であり、「〜を含むがこれに限らない」と解釈すべきである。また、「略」とは受け入れ可能な誤差範囲であることをいい、当業者は一定の誤差範囲で上記の技術的課題を解決し、上述の技術的効果をほぼ達成する。明細書の以下の部分では本願の好ましい実施形態について述べるが、この記載は本願における一般原則を説明することを目的としており、本願の範囲を限定するものではない。本願の保護の範囲は添付の特許請求の範囲に準じるものとする。
【００１１】
図２を参照して、本発明のソフトソールスリッパは、アッパー層と靴底層を有する。前記靴底には、上方に向かって本底、中底、中敷が順に設けられている。また、前記中底布がアッパー裏地の口部辺縁に縫い付けられることで、立体空間が形成される。
【００１２】
好ましくは、前記靴底層の下部に滑り防止層が設けられる。
【００１３】
好ましくは、前記滑り防止層をコルクゴム層とする。
【００１４】
好ましくは、マッサージによる健康作用を奏するべく、前記靴底層の上面に複数の突出した隆起を分布させる。
【００１５】
好ましくは、履きながらフローリング清掃作用を奏するべく、前記滑り防止層の底部にテープ状のフランネルが設けられる。
【００１６】
好ましくは、靴底層の上面に取り外し可能なパッドが接着される。
【００１７】
好ましくは、前記滑り防止層を波型の滑り止めパターンとする。
【００１８】
好ましくは、前記滑り止めパターンは深さ０．７〜０．９ｍｍで使用効果が最良となる。
【００１９】
図３を参照して、本発明のソフトソールスリッパの製造方法は、アッパー表面とアッパー内面の履き口とを縫合するＳ１０１と、アッパー表面とアッパー内面の踵を縫合するＳ１０２と、中底布をアッパー裏地の口部辺縁に縫い付けることで立体空間を形成するＳ１０３と、アッパー表面を表に返すＳ１０４と、本底を縫合し、アッパー表面の正面を本底の正面に縫い合わせ、アッパー表面全体を内側に向けるＳ１０５と、クッション芯を装填し、前部開口を縫合するＳ１０６と、スリッパを表に返すＳ１０７と、を含む。
【００２０】
好ましくは、前記Ｓ１０３は具体的に、中底の側面とアッパー内面の側方とを縫製することで閉じられた中底平面を形成することを含む。
【００２１】
本発明では、以下の有益な効果が得られる。
【００２２】
即ち、構造が単純であり、中底布がアッパー裏地の口部辺縁に縫い付けられることで立体空間が形成されるため、各種の材料や形状の中底芯に適している。このように、中底の側面とアッパー内面の側方とに隙間が存在せず、閉じられた中底平面が形成されることから、クリーニングが容易であり、異物が入り込みにくい。また、履き口がしっかりと型付けられて張りがあり、快適なことから、より履き心地がよく、包容感がある。更には、生産効率や元来の技術が低下することもない。従って、立体縫製効果を得るために用いていた従来の手縫いでは低効率で高コスト、基準の統一が困難であったとの課題が解決され、機械化生産、標準化生産の優位性が十分に発揮される。
【００２３】
以上、本願におけるいくつかの好ましい実施例を示して記載したが、上述したように、本願はここで開示した形態に限定されるわけではなく、他の実施例を排除するものとみなすべきではない。その他各種の組み合わせ、修正及び環境への適用も可能であり、ここで述べた本願の思想範囲において、上記の教唆又は関連分野の技術或いは知識による変更も可能である。また、当業者による変更や変形は、本願の精神及び範囲を逸脱していなければ、いずれも本願に添付の請求項の保護範囲とみなされる。
【図１】
2018094370.tif 000003
【図２】
2018094370.tif 000004
【図３】
2018094370.tif 000005